(57)【要約】【課題】スタンド本体の内部に埃が堆積しにくい手術顕微鏡用スタンド装置を提供する。【解決手段】スタンド本体２の上面部１４に空気吸入口１５が形成されているため、空気吸入口１５から手術室内の上方の比較的埃の少ないきれいな空気Ａをスタンド本体２内に導入することができる。スタンド本体２の内部に埃が堆積しにくく、スタンド本体２の内部を清掃する頻度が低くなる。【選択図】        図１
2019028354.tif 000002
【特許請求の範囲】
【請求項１】
フロアに設置される中空ボックス形状のスタンド本体から前方へ向けてアームを延長形成して該アームの先端に手術顕微鏡を支持すると共に、
スタンド本体内に照明用の光源を内蔵し、該光源の光を光ケーブルを介して手術顕微鏡まで導き、手術顕微鏡の下部から照明光として照射する手術顕微鏡用スタンド装置であって、
前記スタンド本体の上面部に空気吸入口を形成し、スタンド本体の下部にファン付きの空気排出口を形成し、スタンド本体の内部で空気吸入口から空気排出口に向けた下向きの空気の流れを形成し、該空気の流れに乗せて光源の熱を外部に放出できることを特徴とする手術顕微鏡用スタンド装置。
【請求項２】
空気吸入口が形成されているスタンド本体の上面部が後側へ向けて下がった傾斜面となっており、空気排出口がスタンド本体の下部の後面部に形成されていることを特徴とする請求項１記載の手術顕微鏡用スタンド装置。
【発明の詳細な説明】
【技術分野】
【０００１】
本発明は手術顕微鏡用スタンド装置に関する。
【背景技術】
【０００２】
脳神経外科手術等において使用される手術顕微鏡用スタンド装置は中空ボックス形状のスタンド本体を有し、スタンド本体はベースによりフロア上に立った状態で手術室に設置されている。スタンド本体の上部からは前方へ向けてアームが延長形成され、その先端に手術顕微鏡が支持されている。ドクターは支持された手術顕微鏡の接眼部に目を当てて患部を拡大観察しながら手術を行う。
【０００３】
手術顕微鏡の拡大された視野の明度を確保するために、手術顕微鏡から患部に向けて照明光が照射される。この照明光はスタンド本体内に内蔵された光源からスタンド本体及びアーム内に設けられた光ケーブルを介して手術顕微鏡へ導いたものである。
【０００４】
スタンド本体内に設置される光源はキセノン光源などの高出力のもので、それ自体から熱が発生するため、スタンド本体の下部にはそれぞれ前後の対向位置に空気吸入口と空気排出口が形成され、スタンド本体内に空気の流れをつくり、その空気の流れに乗せてスタンド本体内の熱を外部に放出している（例えば、特許文献１参照）。
【先行技術文献】
【特許文献】
【０００５】
【特許文献１】特開２００９−１３６５８１号公報
【発明の概要】
【発明が解決しようとする課題】
【０００６】
しかしながら、このような関連技術にあっては、手術室内においてスタンド本体の下部に設けられた空気吸入口よりフロアに近い低い位置の空気を導入するため、低い位置の空気に含まれる埃が一緒にスタンド本体内に導入される。手術室とはいえ目に見えない埃は充満しており、特に手術室下方のフロアに近い部分は上方空間に比べて埃の濃度が高い。そのためスタンド本体内に埃が堆積しやすく、スタンド本体の内部を清掃する頻度が高くなる。
【０００７】
本発明は、このような従来の要請に応じてなされたものであり、スタンド本体の内部に埃が堆積しにくい手術顕微鏡用スタンド装置を提供することを目的としている。
【課題を解決するための手段】
【０００８】
本発明の第１の技術的側面によれば、フロアに設置される中空ボックス形状のスタンド本体から前方へ向けてアームを延長形成して該アームの先端に手術顕微鏡を支持すると共に、スタンド本体内に照明用の光源を内蔵し、該光源の光を光ケーブルを介して手術顕微鏡まで導き、手術顕微鏡の下部から照明光として照射する手術顕微鏡用スタンド装置であって、前記スタンド本体の上面部に空気吸入口を形成し、スタンド本体の下部にファン付きの空気排出口を形成し、スタンド本体の内部で空気吸入口から空気排出口に向けた下向きの空気の流れを形成し、該空気の流れに乗せて光源の熱を外部に放出できることを特徴とする。
【０００９】
本発明の第２の技術的側面によれば、空気吸入口が形成されているスタンド本体の上面部が後側へ向けて下がった傾斜面となっており、空気排出口がスタンド本体の下部の後面部に形成されていることを特徴とする。
【発明の効果】
【００１０】
本発明の第１の技術的側面によれば、スタンド本体の上面部に空気吸入口が形成されているため、空気吸入口から手術室内の上方の比較的埃の少ないきれいな空気をスタンド本体内に導入することができる。従って、スタンド本体の内部に埃が堆積しにくく、スタンド本体の内部を清掃する頻度が低くなる。
【００１１】
本発明の第２の技術的側面によれば、空気吸入口が後側に向けて下がった上面部に形成されており、また空気排出口がスタンド本体の下部の後面部に形成されているため、スタンド本体の内部から空気吸入口や空気排出口を通じて外部にわずかに漏れる光源の光が手術顕微鏡とは反対側に向くため、手術顕微鏡を使用しているドクターの気にならない。
【図面の簡単な説明】
【００１２】
【図１】スタンド装置を斜め後方から見た斜視図。
【図２】スタンド装置の側面図。
【図３】スタンド本体を斜め前方から見た斜視図。
【図４】スタンド本体の断面図。
【発明を実施するための形態】
【００１３】
本発明の好適な実施形態を図１〜図４に基づいて説明する。以上及び以下において前後左右の方向性は図１に示された通りである。
【００１４】
スタンド装置１のスタンド本体２は手術室のフロア３上に置かれたベース４の上部に設置されており、ベース４の中心を通過する垂直軸を中心にして全体が回転できるようになっている。スタンド本体２の前方に突出した部分に設定された回転軸５には、前アーム６と後アーム７を含む縦方向での平行リンク機構Ｌが、その前アーム６の途中部分において回転自在に支持されている。
【００１５】
平行リンク機構Ｌの上部からは前方に向けて支持アーム８が延びており、この支持アーム８の先端に手術顕微鏡９が吊下アーム１０を介して支持されている。平行リンク機構Ｌの下部には後方へ向けてカウンタウェイトＷが取付けられている。このカウンタウェイトＷは前記手術顕微鏡９の重量に対する回転軸５を中心とした重量バランスを図るためのものである。
【００１６】
この実施形態に係る「アーム」は以上の平行リンク機構Ｌ、支持アーム８、吊下アーム１０から構成される。
【００１７】
手術顕微鏡９及びカウンタウェイトＷ等を含む平行リンク機構Ｌは全て回転軸５に支持されており、平行リンク機構Ｌ全体が回転軸５を中心に前後へ傾くことができ、且つ支持アーム８は前アーム６の上端を中心にして上下させることができる。
【００１８】
スタンド本体２において、回転軸５を含むスタンド本体２の前側部分はスライド部１１として分離されている。このスライド部１１は図示せぬ駆動手段によりスタンド本体２に対して上下動することができる。
【００１９】
スタンド本体２は中空ボックス形状で、内部には照明用の光源（キセノン）１２が２個設けられている。１個は予備でどちらか一方が点灯する。光源１２の光は前アーム６、支持アーム８、吊下アーム１０内に設けられた光ケーブル１３を介して手術顕微鏡９まで導かれ、手術顕微鏡９の下部から観察部位に対して照明光Ｒとして照射される。
【００２０】
スタンド本体２の上面部１４は後側へ向けて下がるように傾斜しており、そこに３つの空気吸入口１５が形成されている。スタンド本体２の下部の後面部１６にはファン付きの空気排出口１７が形成されている。空気排出口１７からスタンド本体２の内部の空気Ａを強制的に排出することができる。これにより、空気吸入口１５からスタンド本体２の上部の空気Ａをスタンド本体２内に導入して、スタンド本体２の内部で空気Ａの流れをつくることができる。従って光源１２から発生する熱をこの空気Ａの流れに乗せて空気排出口１７から外部へ放出することができ、光源１２を冷却することができる。
【００２１】
スタンド本体２内の光源１２を冷却する空気Ａをスタンド本体２の上面部１４に設けた空気吸入口１５から導入するため、スタンド本体２の上部付近の比較的埃の少ないきれいな空気Ａをスタンド本体２内に導入することができ、スタンド本体２内における埃の堆積を防止することができる。従って、スタンド本体２の内部に埃が堆積しにくく、スタンド本体２の内部を清掃する頻度が低くなる。
【００２２】
また空気吸入口１５が後向きに傾斜した上面部１４に形成されており、また空気排出口１７がスタンド本体２の後面部１６に形成されているため、スタンド本体３の内部から空気吸入口１５や空気排出口１７を通じて外側にわずかに漏れる光源１２の光が手術顕微鏡９とは反対側に向くため、手術顕微鏡９を使用しているドクターの気にならない。
【符号の説明】
【００２３】
１  スタンド装置
２  スタンド本体
８  支持アーム（アーム）
９  手術顕微鏡
１０  吊下アーム（アーム）
１２  光源
１３  光ケーブル
１４  上面部
１５  空気吸入口
１６  後面部
１７  空気排出口
Ａ  空気
Ｌ  平行リンク機構（アーム）
Ｒ  照明光
Ｗ  カウンタウェイト
【図１】
2019028354.tif 000003
【図２】
2019028354.tif 000004
【図３】
2019028354.tif 000005
【図４】
2019028354.tif 000006